(57)【要約】【課題】破壊的事象が発生するときに無線ネットワークを管理するための技術を提供すること。【解決手段】一態様において、ノードの少なくとも２つのクラスを有する異種無線ネットワークを管理するための方法が、提供される。方法は、以下のステップを含む。１つまたは複数のネットワーク・シグナリング活動が、観測される。ネットワーク・シグナリング活動が、ノードのクラスのうちの少なくとも１つに影響を与える停電に関連する振る舞いを示す場合、ノードのクラスのうちの１つまたは複数のその他のクラスに関連するネットワーク・シグナリングの送信および処理のためのネットワーク・リソースが、振る舞いに対応するために調整される。【選択図】図２
2014529232.tif 000002
【特許請求の範囲】
【請求項１】
ノードの少なくとも２つのクラスを有する異種無線ネットワークを管理するための方法であって、
１つまたは複数のネットワーク・シグナリング活動を観測するステップと、
前記ネットワーク・シグナリング活動が、ノードの前記クラスのうちの少なくとも１つに影響を与える停電に関連する振る舞いを示す場合、前記振る舞いに対応するために、ノードの前記クラスのうちの１つまたは複数のその他のクラスに関連するネットワーク・シグナリングの送信および処理のためのネットワーク・リソースを調整するステップとを含む、方法。
【請求項２】
前記停電に関連する前記振る舞いが、前記１つまたは複数のネットワークの活動の頻度が閾値を超えて増加することを含む、請求項１に記載の方法。
【請求項３】
ノードの前記クラスのうちの１つが、顧客宅内機器を含む、請求項１に記載の方法。
【請求項４】
前記顧客宅内機器が、フェムトセル・アクセス・ポイントを含む、請求項３に記載の方法。
【請求項５】
ノードの前記クラスのうちの１つが、オペレータが所有する機器を含む、請求項１に記載の方法。
【請求項６】
前記オペレータが所有する機器が、フェムト・ゲートウェイ・コントローラおよび自動構成サーバのうちの１つまたは複数を含む、請求項５に記載の方法。
【請求項７】
前記停電の範囲に関する情報を取得するステップと、
前記停電の前記範囲に関する前記情報に基づいてネットワーク・シグナリングの送信および処理のための前記ネットワーク・リソースを調整するステップとをさらに含む、請求項１に記載の方法。
【請求項８】
電力がいつ回復される可能性があるかに関する情報を取得するステップと、
前記電力がいつ回復される可能性があるかに関する前記情報に基づいてネットワーク・シグナリングの送信および処理のための前記ネットワーク・リソースを調整するステップとをさらに含む、請求項１に記載の方法。
【請求項９】
前記ネットワークが、１つまたは複数のフェムトセル・アクセス・ポイントを通じて、および１つまたは複数のマクロセル基地局を通じてアクセス可能であり、前記方法が、
前記フェムトセル・アクセス・ポイントが前記停電が原因で電力を喪失し、前記ネットワークへの接続が前記マクロセル基地局に移るときの垂直ハンドオフ要求の増加した頻度に関して前記ネットワークを観測するステップをさらに含む、請求項１に記載の方法。
【請求項１０】
前記マクロセル基地局がマクロセル・コントローラにリンクされ、前記マクロセル・コントローラによって制御され、ネットワーク・シグナリングの送信および処理のための前記ネットワーク・リソースを調整する前記ステップが、
前記マクロセル・コントローラにおいてネットワーク・シグナリングの送信および処理のためのリソースを調整するステップを含む、請求項９に記載の方法。
【請求項１１】
前記マクロセル・コントローラにおいてネットワーク・シグナリングの送信および処理のための前記リソースを調整する前記ステップが、
前記マクロセル基地局において追加のアクセス・チャネルを割くステップを含む、請求項１０に記載の方法。
【請求項１２】
前記マクロセル・コントローラにおいてネットワーク・シグナリングの送信および処理のための前記リソースを調整する前記ステップが、
前記マクロセル基地局と前記マクロセル・コントローラとの間のリンクにおいて追加の帯域幅を割くステップを含む、請求項１０に記載の方法。
【請求項１３】
前記マクロセル・コントローラにおいてネットワーク・シグナリングの送信および処理のための前記リソースを調整する前記ステップが、
前記マクロセル・コントローラに追加の処理リソースおよびバッファリング・リソースを割くステップを含む、請求項１０に記載の方法。
【請求項１４】
前記ネットワークが、１つまたは複数のフェムトセル・アクセス・ポイントを通じて、および１つまたは複数のマクロセル基地局を通じてアクセス可能であり、前記方法が、
電力が回復されるときに前記フェムトセル・アクセス・ポイントが再び給電されるときのリブート要求の増加した頻度に関して前記ネットワークを監視するステップをさらに含む、請求項１に記載の方法。
【請求項１５】
前記フェムトセル・アクセス・ポイントを通じた前記ネットワークへのアクセスが、フェムト・ゲートウェイ・コントローラによって制御され、ネットワーク・シグナリングの送信および処理のための前記ネットワーク・リソースを調整する前記ステップが、
前記フェムト・ゲートウェイ・コントローラにおいてネットワーク・シグナリングの送信および処理のためのリソースを調整するステップを含む、請求項１４に記載の方法。
【請求項１６】
前記フェムト・ゲートウェイ・コントローラにおいてネットワーク・シグナリングの送信および処理のための前記リソースを調整する前記ステップが、
競合解決のために前記フェムト・ゲートウェイ・コントローラにおいて追加の上りチャネルを割くステップを含む、請求項１５に記載の方法。
【請求項１７】
前記フェムト・ゲートウェイ・コントローラにおいてネットワーク・シグナリングの送信および処理のための前記リソースを調整する前記ステップが、
リブート要求の前記増加した頻度に対応するために処理リソースおよびバッファリング・リソースを割くステップを含む、請求項１５に記載の方法。
【請求項１８】
ノードの少なくとも２つのクラスを有する異種無線ネットワークを管理するための装置であって、
メモリと、
前記メモリに結合され、
１つまたは複数のネットワーク・シグナリング活動を観測し、
前記ネットワーク・シグナリング活動が、ノードの前記クラスのうちの少なくとも１つに影響を与える停電に関連する振る舞いを示す場合、前記振る舞いに対応するために、ノードの前記クラスのうちの１つまたは複数のその他のクラスに関連するネットワーク・シグナリングの送信および処理のためのネットワーク・リソースを調整する
ように動作可能な少なくとも１つのプロセッサ・デバイスと
を含む、装置。
【請求項１９】
前記停電に関連する前記振る舞いが、前記１つまたは複数のネットワークの活動の頻度が閾値を超えて増加することを含む、請求項１８に記載の装置。
【請求項２０】
前記少なくとも１つのプロセッサ・デバイスが、
前記停電の範囲に関する情報を取得し、
前記停電の前記範囲に関する前記情報に基づいてネットワーク・シグナリングの送信および処理のための前記ネットワーク・リソースを調整するようにさらに動作可能である、請求項１８に記載の装置。
【請求項２１】
前記少なくとも１つのプロセッサ・デバイスが、
電力がいつ回復される可能性があるかに関する情報を取得し、
前記電力がいつ回復される可能性があるかに関する前記情報に基づいてネットワーク・シグナリングの送信および処理のための前記ネットワーク・リソースを調整するようにさらに動作可能である、請求項１８に記載の装置。
【請求項２２】
ノードの少なくとも２つのクラスを有する異種無線ネットワークを管理するための製品であって、実行されるときに、
１つまたは複数のネットワーク・シグナリング活動を観測するステップと、
前記ネットワーク・シグナリング活動が、ノードの前記クラスのうちの少なくとも１つに影響を与える停電に関連する振る舞いを示す場合、前記振る舞いに対応するために、ノードの前記クラスのうちの１つまたは複数のその他のクラスに関連するネットワーク・シグナリングの送信および処理のためのネットワーク・リソースを調整するステップとを実施する１つまたは複数のプログラムを含む機械可読記録可能媒体を含む、製品。
【請求項２３】
前記停電に関連する前記振る舞いが、前記１つまたは複数のネットワークの活動の頻度が閾値を超えて増加することを含む、請求項２２に記載の製品。
【請求項２４】
前記１つまたは複数のプログラムが、実行されるときに、
前記停電の範囲に関する情報を取得するステップと、
前記停電の前記範囲に関する前記情報に基づいてネットワーク・シグナリングの送信および処理のための前記ネットワーク・リソースを調整するステップとをさらに実施する、請求項２２に記載の製品。
【請求項２５】
前記１つまたは複数のプログラムが、実行されるときに、
電力がいつ回復される可能性があるかに関する情報を取得するステップと、
前記電力がいつ回復される可能性があるかに関する前記情報に基づいてネットワーク・シグナリングの送信および処理のための前記ネットワーク・リソースを調整するステップとをさらに実施する、請求項２２に記載の製品。
【請求項２６】
コンピュータで実行されるときに、請求項１ないし１７のいずれかに記載の方法のステップを実行するように適合されたプログラム・コードを含む、コンピュータ・プログラム。
【発明の詳細な説明】
【技術分野】
【０００１】
本発明は、無線ネットワークに関し、より詳細には、停電などの破壊的事象（disruptiveevent）が発生するときに無線ネットワークを管理するための技術に関する。
【背景技術】
【０００２】
消費者が所有する／家に設置されるフェムトセル・アクセス・ポイント（ＦＡＰ）が導入されたことにより、家に設置されるＦＡＰは普通のマクロセル送信機システムが有している予備電力を用意する余裕がないので、停電が無線サービスの運用に深刻な影響を与える可能性がある。（停電などの破壊的事象が原因で）ＦＡＰを介してモバイル・ネットワーク・インフラストラクチャに接続することができない場合、顧客のデバイス（例えば、セル電話）は、アクティブな接続を維持する（すなわち、アクティブな通信セッションに関する垂直ハンドオフ）ために、または単純にそれらの顧客のデバイスの「接続点（points of attachment）」の変更をセルラ・サービス・プロバイダに知らせる（すなわち、非アクティブなデバイスによる位置更新）ために、それらの顧客のデバイスの無線接続を、マクロセルによって提供される接続に切り替えようと試みる。フェムトセル接続が回復すると、同様の手順が逆に行われる。
【０００３】
したがって、停電の発生時およびその後の復旧時に、元々ＦＡＰによってサービスを提供され、その後、同時に機能を回復するＦＡＰによってサービスを提供される顧客のデバイス（例えば、セル電話）によって必要とされる膨大な処理が存在する。そのような状況は、（例えば、再構成または電話のハンドオフのための）膨大な要求を処理しようとするバックエンドの動作に負担をかける可能性がある。
【発明の概要】
【発明が解決しようとする課題】
【０００４】
電力の停止および復旧に起因するフェムトセルの関連する動作の影響に対処することを対象とする教示は、今のところ、存在しない。したがって、停電などの破壊的事象の後のフェムトセルの復旧のための技術が、望まれている。
【課題を解決するための手段】
【０００５】
本発明は、停電などの破壊的事象が発生するときに無線ネットワークを管理するための技術を提供する。本発明の一態様において、ノードの少なくとも２つのクラス（class）を有する異種無線ネットワークを管理するための方法が、提供される。方法は、以下のステップを含む。１つまたは複数のネットワーク・シグナリング活動が、観測される。ネットワーク・シグナリング活動が、ノードのクラスのうちの少なくとも１つに影響を与える停電に関連する振る舞いを示す場合、ノードのクラスのうちの１つまたは複数のその他のクラスに関連するネットワーク・シグナリングの送信および処理のためのネットワーク・リソースが、振る舞いに対応するために調整される。
【０００６】
本発明のより完全な理解と、本発明のさらなる特徴および利点とが、以下の詳細な説明および図面を参照することによって得られる。
【図面の簡単な説明】
【０００７】
【図１】本発明の一実施形態による、ノードの少なくとも２つのクラスを有する例示的な異種無線ネットワークを示す図である。
【図２】本発明の一実施形態による、破壊的事象の発生中に異種無線ネットワークを管理するための例示的な方法を示す図である。
【図３】本発明の一実施形態による、停電後に異種無線ネットワークを管理するための例示的な方法を示す図である。
【図４】本発明の一実施形態による、停電の後で電力が回復されたときに異種無線ネットワークを管理するための例示的な方法を示す図である。
【図５】本発明の一実施形態による、図１のネットワークのような、ノードの少なくとも２つのクラスを有する異種無線ネットワークを管理するための例示的な装置を示す図である。
【発明を実施するための形態】
【０００８】
本明細書において提供されるのは、停電などの破壊的事象の後で無線サービスを復旧するための教示である。図１は、ノードの少なくとも２つのクラスを有する例示的な異種無線ネットワーク１００を示す図である。それぞれのクラスは、ネットワーク・オペレータが異なる度合いのアクセスおよび制御を行う機能的に同等なノード（例えば、フェムトセル・アクセス・ポイント）の集合である。例えば、ノードの１つのクラスは、加入者の家に存在し、したがって、ネットワーク・オペレータが直接制御できない可能性がある一方、ノードの別のクラスは、オペレータのネットワーク内に存在し、したがって、ネットワーク・オペレータが十分にアクセスすることができる可能性がある。以下の説明から明らかになるであろうように、破壊的事象に関連する可能性があるノードのクラスは、顧客宅内機器（ＣＰＥ：customer premise equipment）（すなわち、フェムトセル・アクセス・ポイント、モデム、セット・トップ・ボックスなどの、顧客の敷地内に存在し、多くの場合、顧客によって所有されている通信関連機器）と、フェムト・ゲートウェイ・コントローラ、自動構成サーバなどのオペレータが所有する機器とを含む。ネットワーク１００は、ユーザ機器１０２（例えば、セル電話、ＰＤＡ、ラップトップ・コンピュータなど）がフェムトセル・アクセス・ポイント（ＦＡＰ１．．．Ｎ）のサブネットワークを通じて直接かまたはバックホール・ネットワークを介してアクセスすることができるコア・ネットワークを含む。バックホール・ネットワークをコア・ネットワークとサブネットワークとの間のリンクとして使用することは、当業者に知られており、したがって、本明細書においてさらに説明されない。ユーザ機器１０２は、バックホール・ネットワークを介して、インターネットと、電子メールおよびオンライン購入のようなインターネットのベスト・エフォートのサービス（すなわち、遅延および帯域幅に関する保証がない）とにやはりアクセスすることができる。バックホール・ネットワークは、サービス・プロバイダによって所有またはプロビジョニング（provision）される可能性があり（例えば、Ｖｅｒｉｚｏｎ  ＦｉＯＳを介したＶｅｒｉｚｏｎ  ｗｉｒｅｌｅｓｓ、もしくはＶｅｒｉｚｏｎ  ＦｉＯＳとサービス品質保証契約（ＳＬＡ）を交わしているＴ−Ｍｏｂｉｌｅ（Ｒ））、または独立した組織によって所有される可能性がある（例えば、加入者の通常のＶｅｒｉｚｏｎ  ＦｉＯＳもしくはＣａｂｌｅｖｉｓｉｏｎのインターネット・サービスを介したＡＴ＆Ｔ  Ｗｉｒｅｌｅｓｓ）。複数のインターネット・サービス・プロバイダ（ＩＳＰ）がある地域では、複数のバックホール・ネットワークも潜在している。
【０００９】
バックホール・ネットワークは、フェムト・ゲートウェイ（フェムトＧＷ）コントローラおよび自動構成サーバ（ＡＣＳ）を通じてコア・ネットワークにリンクされる可能性がある。ＡＣＳは、ＦＡＰを遠隔で構成および管理するために無線サービス・オペレータによって使用され、顧客の家に存在するＦＡＰを発見し、オペレータに登録することと、ＦＡＰの動作パラメータ（送信電力および動作周波数など）を設定することと、アップグレードをダウンロードすることと、ＦＡＰをリブートするかまたはリセットするかあるいはその両方を行うこととに関連する。ユーザ機器１０２がビデオ・オン・デマンド（ＶｏＤ）などの（プロビジョニングされた）エンドユーザ・アプリケーションにアクセスすることができるのは、コア・ネットワークを通じてである。バックホール・ネットワークは、以下で詳細に説明されるように、停電の後で電力が回復されたときの復旧作業に役立つ可能性があるフェムト・ゲートウェイ・コントローラの制御下にある。
【００１０】
本明細書において使用される用語「オペレータ」は、本明細書において説明されるステップのために「ネットワーク・プロバイダ」（または「ネットワーク・オペレータ」）が使用する、フェムトＧＷ、マクロセル・コントローラ（ＭＣＣ）のようなコンピューティング機器およびプロセスを指す。オペレータ・コンピューティング機器として働き、本明細書において示される方法のうちの１つまたは複数を実行するように構成され得る例示的な装置が、図５に与えられ、以下で説明される。
【００１１】
停電などの破壊的事象が起きるとき、ＦＡＰを通じたネットワークへのユーザ機器の接続が失われる。上で強調されたように、マクロセルとは異なり、概して、ＦＡＰは、予備電源をプロビジョニングされていない。通常の停電は、共通のバックホール・ネットワークにアクセスするＦＡＰのうちの一部を包含する特定の地理的地域に影響を与える。例えば、停電によって影響を受けないＦＡＰがチェック・マークを有する一方、停電によって影響を受けるＦＡＰは、それらのＦＡＰがオフラインである（例えば、停電が原因で電力を喪失した）ことを示すＸを付されている図１を参照されたい。
【００１２】
電力が無くなるとき、影響を受けるＦＡＰに関連するユーザ機器は、利用可能なマクロセルへ切り替えようと試みる。通常、この動作は、アクティブなデータ接続を有するユーザ機器に関しては垂直ハンドオフ要求（ＶＨＲ）と呼ばれ、またはアクティブな接続を持たないユーザ機器に関しては位置更新（ＬＵ）と呼ばれる。マクロセル・ネットワークは、ユーザ機器１０２から信号を直接受信し、ユーザ機器を１つまたは複数のエンドユーザ・アプリケーションに接続するマクロセル基地局（マクロセルＢＳ）を含む。図示を簡単にするために、図１には１つのマクロセル基地局のみが示されている。しかし、複数のマクロセル基地局が存在する可能性があり、ユーザ機器によってアクセスされる可能性があることを理解されたい。したがって、ユーザ機器は、マクロセルＢＳを通じてコア・ネットワークにアクセスすることができる。つまり、図１は、一部がプロビジョニングされ（つまり、ビデオ・オン・デマンド（ＶｏＤ）のようなサービス品質（ＱｏＳ）を必要とする）、一部がベスト・エフォートである（ＱｏＳの保証がない）サービスに接続するユーザを示す。ユーザがＦＡＰを使用するにせよ、またはマクロセルＢＳ接続を使用するにせよ、ユーザは、それらのユーザのデバイスによってこれらのサービスのいずれかにアクセスする。図１に示された特定の例においては、「ＦＡＰユーザ」が、プロビジョニングされるサービスに接続している一方、「マクロセル・ユーザ」は、ベスト・エフォートのサービスに接続している。しかし、これは例示的であるに過ぎず、この逆であること、つまり、「ＦＡＰユーザ」が、ベスト・エフォートのサービスに接続している一方、「マクロセル・ユーザ」が、プロビジョニングされるサービスに接続していること、または任意のその他の組み合わせもあり得る。マクロセル基地局は、以下で詳細に説明されるように、停電の後の復旧作業に役立つ可能性があるマクロセル・コントローラ（ＭＣＣ）にリンクされており、ＭＣＣの制御下にある。
【００１３】
以下で詳細に説明されるように、停電が発生すると、例えば、停電の範囲またはいつどこで電力が回復されるのかあるいはその両方に関する情報が、停電または復旧の事象に関連するリソースを先回りしてプロビジョニングするために使用され得る。この情報（停電情報（outage intelligence））は、電力の供給者（すなわち、公益事業会社、図１参照）から得られる可能性がある。単なる例として、公益事業会社が、例えば、インターネットを介してコア・ネットワークによってアクセスされ得るデータベース（例えば、データベース１０４）を通じてこの停電情報を提供し得る。単なる例として、停電情報は、公益事業オペレータが、そのオペレータの電力系統の動作を監視する、例えば、配電をよりうまく管理するために、どれだけの電気エネルギーが電力系統の特定のケーブルを通るかを監視する（これは「スマート・グリッド」技術と呼ばれることがある）ためにその電力系統に設置するセンサーから公益事業会社によって収集され得る。
【００１４】
ネットワーク１００などの無線ネットワークを管理するための技術が、以降で説明される。特に、本明細書において説明されるプロセスは、停電中、または停電の後で電力が回復されたときなどの、破壊的事象の近辺の活動の乱れに焦点を置く。ネットワーク１００を例に取ると、停電が発生するとき、停電によって影響を受けるＦＡＰを通じたネットワーク・アクセスが断ち切られる。したがって、関連するユーザ機器が接続をＦＡＰからマクロセル・ネットワークに切り替えようと試みるので、活動の急激な増加が起こる。電力が回復されるときも、ＦＡＰがオンライン状態に復帰するので、活動の急激な増加が起こる。これらの活動の増加した期間は、停電のような破壊的事象の発生、または停電後の電力の回復を示すものであるので、本明細書においてはシグナリング・イベントと呼ばれる。
【００１５】
図２は、停電などの破壊的事象の発生中、または停電の後で電力が回復されるときに、ネットワーク１００などの、ノードの少なくとも２つのクラス（例えば、顧客宅内機器およびオペレータが所有する機器）を有する異種無線ネットワークを管理するための例示的な方法２００を示す図である。ステップ２０２において、ネットワークが、ノードのクラスのうちの１つを巻き込む破壊的事象（シグナリング・イベント）に関連する活動の急激な増加などの特定の振る舞いを示す活動に関して観測される。概して、破壊的事象が起きた後に行われるネットワークの活動が存在する。単なる例として、停電の場合、ネットワークは、影響を受けるユーザ機器が失われたＦＡＰ接続からマクロセル・ネットワークに切り替えようと試みる（つまり、接続がマクロセル・ネットワークに移される）ときに発生する垂直ハンドオフ要求（ＶＨＲ）および位置更新（ＬＵ）の頻度の急激な増加に関して観測される可能性がある。例えば、以下で説明される図３を参照されたい。この場合、破壊的事象は、顧客宅内機器を含むノードのクラスを巻き込む（つまり、影響を与える）。同様に、電力が回復されるとき、ネットワークは、ＦＡＰがオンライン状態に復帰するときに起こるリブート要求（ＲＲ）の頻度の急激な増加に関して観測される可能性がある。例えば、以下で説明される図４を参照されたい。この場合、電力の回復は、オペレータが所有する機器を含むノードのクラスを巻き込む（つまり、影響を与える）。
【００１６】
いかなるシグナリング・イベントもないとき、ネットワークの運用は、通常通りに行われる。しかし、ノードのクラスのうちの少なくとも１つに影響を与える破壊的事象を示す活動の頻度の増加が発生する場合、ステップ２０４において、ノードのその他のクラスのうちの１つまたは複数に関連するネットワーク・シグナリングの送信および処理のためのリソースが、この振る舞いに対応するため、例えば、活動の増加した頻度に対応するために調整される。したがって、破壊的事象が顧客宅内機器に影響を与える場合、オペレータが所有する機器のノードのクラスに関連するネットワーク・シグナリングの送信および処理のためのリソースが調整される。逆に、破壊的事象がオペレータが所有する機器に影響を与える場合、顧客宅内機器のノードのクラスに関連するネットワーク・シグナリングの送信および処理のためのリソースが調整される。例えば、停電の場合、ネットワーク・シグナリングの送信および処理のためのリソースが、マクロセル・ネットワークに切り替えるためのユーザ機器による要求の増加した数に対応するために調整される可能性がある。例えば、以下で説明される図３を参照されたい。停電後の電力の回復の場合、ネットワーク・シグナリングの送信および処理のためのリソースが、停電の後の始動中のＦＡＰからのリブート要求の増加した数に対応するために調整される可能性がある。例えば、以下で説明される図４を参照されたい。
【００１７】
任意で、ステップ２０６において、（ステップ２０４の通りに）リソースをさらにうまく割り当てるために、破壊的事象に関する情報が取得される可能性がある。例えば、停電の範囲（例えば、どれだけ大きな地理的地域が停電によって影響を受けるか）またはいつ停電が回復される可能性があるかあるいはその両方などの停電に関する情報が、このステップにおいて取得され得る。この種の情報は、公益事業会社から直接取得される可能性がある。この情報は、ネットワーク・シグナリングの送信および処理のためのリソースに対する調整がいつ、どこで、どれだけ必要とされるかを見積もり、予測するのを支援する際に有用である。
【００１８】
破壊的事象が過ぎ去ると、図２に示されるように、次の破壊的事象に関する監視／観測が始まる可能性がある。停電に関連したこの技術の詳細は、図３の説明と併せて以下で説明される。停電後の電力の回復に関連したこの技術の詳細は、図４の説明と併せて以下で説明される。停電および停電後の復旧は、本明細書において、破壊的事象の単なる例として使用されている。
【００１９】
図３は、停電後に、ネットワーク１００などの、ノードの少なくとも２つのクラス（例えば、顧客宅内機器（例えば、ＦＡＰ）およびオペレータが所有する機器（例えば、フェムト・ゲートウェイ・コントローラ、ＡＣＳなど））を有する異種無線ネットワークを管理するための例示的な方法３００を示す図である。方法３００は、（図２の）方法２００と同じ全体的なプロセス・フローにしたがう。ネットワーク１００を例として使用すると、停電が発生すると、マクロセル・ネットワークに切り替えるための要求が行われることになるので、方法３００のステップは、マクロセル・コントローラ（ＭＣＣ）によって実行される可能性がある。マクロセル・コントローラ（ＭＣＣ）は、これらの要求を処理する。マクロセル・コントローラとして働き、方法３００のステップを実行するように構成され得る例示的な装置は、図５に示され、以下で説明される。
【００２０】
上で強調されたように、ネットワークにおける特定の活動の頻度の増加などの特定の振る舞いは、破壊的事象の発生を示す。この例においては、停電が発生し、ＦＡＰを通じた接続が失われる（つまり、ＦＡＰがオフラインになり、例えば、停電が原因で電力を喪失する）とき、ユーザ機器がネットワークに接続するためにマクロセルへの切り替えを要求するので、ＶＨＲおよびＬＵの頻度の急激な増加が起こる。したがって、ステップ３０２において、マクロセル・コントローラが、これらのネットワークの活動、すなわち、到着するＶＨＲおよびＬＵ要求を観測する。
【００２１】
ステップ３０４において、到着するＶＨＲおよびＬＵ要求の頻度が特定の閾値レベルを超えているかどうかについての判定が、行われる。上で強調されたように、停電などの破壊的事象は、ＶＨＲおよびＬＵ要求の急激な頻度の増加などの特定のネットワークの活動の振る舞いをもたらす。例示的な実施形態によれば、オペレータは、ＶＨＲおよびＬＵ要求に関する長期的な統計を収集し、通常の動作中（破壊的事象が発生していないとき）または停電後あるいはその両方のこれらの要求に関する平均頻度および標準偏差などのパラメータを計算する可能性がある。長期的な統計の収集は、現在の時間もしくは繰り返し間隔に基づく時間枠（window）の間の移動平均、またはこれらの組み合わせ（combination）である可能性がある。前者（すなわち、現在の時間）の例は、要求に関する統計が、過去１日、１週間、１月などにわたって見られた要求を用いて収集される場合である。後者（すなわち、繰り返し間隔）の例は、統計が、例えば過去１年間の毎週火曜日または毎月第一火曜日の午前８：００から午前８：１０までの間に見られた要求などを使用して収集される場合である。観測の間隔の継続時間および頻度は、オペレータの希望に応じて変わり得る。後者の繰り返される部分的な（piecewise）監視のメリットは、日ごと、月ごと、季節ごとなどの動向を反映する要求の統計を計測することである。
【００２２】
オペレータが、突然、例えば（急激な増加を示す）３０秒または１分の期間にわたって、停電中に見られる要求の頻度に近い振る舞いをする要求の頻度、または通常の長期的な平均、もしくは適切な時間間隔に関する長期的な平均を例えば２標準偏差だけ超える要求の頻度を観測するとしたならば、オペレータは、破壊的事象が発生したと断言し得る。通常の統計的方法に基づけば、２標準偏差の値は、統計的に、観測された内容が、大量である点以外はより深刻な何らかの事態（すなわち、停電）とは異なり通常であるトラフィックの状況の結果である確率が２．５パーセント（％）未満であることを示唆する。この値は、オペレータの裁量により上下に調整され得る。
【００２３】
ＶＨＲおよびＬＵ要求の頻度が閾値未満である（つまり、観測されたネットワークの活動が、破壊的事象の発生を示す振る舞いを示していない）場合、ステップ３０６において、マクロセル・コントローラが、通常のネットワークの動作を維持する。一方、ＶＨＲおよびＬＵ要求の頻度が閾値を超えて増加する（つまり、観測されたネットワークの活動が、破壊的事象の発生を示す振る舞いを示している）たびに、ステップ３０８において、マクロセル・コントローラが、その振る舞いに対応するため、つまり、それらの影響を受けるデバイスからの要求の増加した頻度に対応するために（例えば、マクロセル基地局またはマクロセル・コントローラあるいはその両方において）ネットワーク・シグナリングの送信および処理のためのリソースを調整する。これは、いくつかの方法で行われ得る。単なる例として、ステップ３０８は、それ自体、ネットワーク・シグナリングの送信および処理のためのリソースを調整するために独立して任意の順序で実行され得る１つまたは複数のステップ３０８ａ〜ｃを含む可能性がある。例えば、ステップ３０８ａにおいては、オペレータが、ユーザ機器からのアクセス要求の急激な増加に直面している基地局においてＶＨＲおよびＬＵ要求を処理するための追加の無線アクセス・チャネル（例えば、マクロセルＢＳとユーザ機器との間の無線インターフェースで使用される特定の無線送信技術に応じて、周波数、時間、または符号）を割り当てる可能性がある。ステップ３０８ｂにおいては、オペレータが、アクセス要求を処理するためにマクロセルＢＳとＭＣＣとの間のリンクの帯域幅のより多くの部分を割く可能性もあり、ステップ３０８ｃにおいては、オペレータが、ＶＨＲおよびＬＵを管理するために処理の優先度、メッセージ・キュー、およびＣＰＵサイクルなどの追加の処理能力をＭＣＣにおいて割く可能性がある。図３に示されるように、ネットワーク・シグナリングの送信および処理のためのリソースを調整するステップは、例えば、公益事業会社から得られる停電に関する情報によって補足される可能性がある。上で説明された図２も参照されたい。公益事業会社からの情報は、上述のように、例えば、インターネットを介してコア・ネットワークによってアクセスされ得る地理空間停電データベース（geospatial outage database）から入手することができる可能性がある。上述の図１の説明を参照されたい。単なる例として、公益事業会社から得られる情報は、停電の範囲、例えば、停電によって影響を受ける地理的地域に関する案内を提供し、したがって、マクロセル・コントローラが、停電のネットワークの活動に対処するためにどれだけのリソースが再割り当てされるべきか（つまり、停電の範囲が広いほど、到着するＶＨＲおよびＬＵ要求の数が増え、したがって、これらの要求に対処するために割り当てられる必要があるリソースの量が増える）をより正確に評価することを可能にし得る。例えば、領域Ａが停電に遭ったことを知ると、ネットワーク・オペレータは、そのネットワーク・オペレータのサービスの加入者の敷地がどこにあるかについてのそのネットワーク・オペレータ自体の知識から、どれだけの加入者が影響を受けたかを判定することができる。例え���、そのネットワーク・オペレータの１０００人の加入者が影響を受ける場合、ネットワーク・オペレータは、この数を用いて、例えば、待ち行列に基づく処理能力モデルを使用し、さまざまなレベルの許容可能なリソースを使用してそれらの加入者の要求に対処するためにどれぐらいの時間がかかるかを推定し、十分な性能を提供する、使用すべきレベルを選択することができる。
【００２４】
次に、ステップ３１０において、ＶＨＲおよびＬＵ要求の頻度が閾値（上記参照）未満になった（例えば、電力が回復されたこと、または例えば、要求の大部分が処理されたためにハンドオフの要求が通常に戻ったこと、あるいはその両方を示す）かどうかに関する判定が行われる。ＶＨＲおよびＬＵ要求の頻度が閾値未満になった場合、マクロセル・コントローラが、ネットワーク・シグナリングの送信および処理のためのリソースを、通常の動作パラメータに戻すように切り替え、ステップ３０６にしたがって、通常の動作が再開される。しかし、ＶＨＲおよびＬＵ要求の頻度がまだ閾値を超えている場合は、ネットワーク・シグナリングの送信および処理のための調整されたリソースが維持されるか、または（例えば、停電の範囲に関連する停電データベースからの更新された情報に基づいて）更新される。
【００２５】
図４は、停電の後で電力が回復されたときに、ネットワーク１００などの、ノードの少なくとも２つのクラス（例えば、顧客宅内機器（例えば、ＦＡＰ）およびオペレータが所有する機器（例えば、フェムト・ゲートウェイ・コントローラ、ＡＣＳなど））を有する異種無線ネットワークを管理するための例示的な方法４００を示す図である。方法４００は、（図２の）方法２００と同じ全体的なプロセス・フローにしたがう。ネットワーク１００を例として使用すると、電力が回復されるとき、多数のＦＡＰがオンライン状態に復帰するとき（つまり、電力が回復されるときにフェムト・ゲートウェイ・コントローラが再び給電されるとき）にリブート要求（ＲＲ）を送信するので、方法４００のステップは、フェムト・ゲートウェイ・コントローラによって実行される可能性がある。フェムト・ゲートウェイ・コントローラは、これらの要求を処理する。フェムト・ゲートウェイ・コントローラとして働き、方法４００のステップを実行するように構成され得る例示的な装置は、図５に示され、以下で説明される。
【００２６】
上で強調されたように、ネットワークにおける特定の活動の頻度の増加などの特定の振る舞いは、破壊的事象の発生を示す。この例においては、停電の後で電力が回復されるときに、ＦＡＰがオンライン状態に復帰するときにＲＲの頻度の急激な増加が起こる。したがって、ステップ４０２において、フェムト・ゲートウェイ・コントローラが、これらのネットワークの活動、すなわち、到着するＲＲ要求を観測する。
【００２７】
ステップ４０４において、到着するＲＲ要求の頻度が特定の閾値レベルを超えているかどうかについての判定が、行われる。停電後に電力が回復されるとき、ＲＲ要求の頻度の急激な増加などの、特定のネットワークの活動の振る舞いが観測されると予測される。ＶＨＲおよびＬＵの場合と同様に、例示的な実施形態によれば、オペレータが、ＲＲに関する長期的な統計を収集し、通常の動作中のこれらの要求に関する平均頻度および標準偏差などのパラメータを計算する可能性がある。オペレータは、これらの統計を使用して、電力が回復したＦＡＰからの現在の膨大なＲＲが正常な量まで減るときを判定し、したがって、そのオペレータの運用およびリソースの使用を通常のレベルに戻すことができる。同様に、多数のＦＡＰに対して電力が同時に回復されるときにＲＲの頻度の異常な増加が起こる可能性があり、そしてそれがリソースの調整が行われることを引き起こすことになるので、オペレータは、統計を使用して、ＲＲの頻度が異常に増加したときを判定することができる（図４のステップ４０４および４０８）。例えば、ＦＡＰコントローラは、ＲＲを受信し続け、停電に遭っていないＦＡＰを含むその他のＦＡＰの管理動作に従事し続けることができることに留意されたい。したがって、電力が回復されるとき、ＲＲの頻度の変化は、必ずしも０から何らかの正の数までとは限らない可能性がある。そうではなく、ＲＲの頻度は、何らかの低い頻度ｘからより高い頻度ｙまで跳ね上がる可能性があり、ここで、値ｘおよびｙは、停電によって影響を受けなかったＦＡＰの数または停電によって影響を受けたＦＡＰの数にそれぞれ関連する可能性がある。ｘ＝０は、特定のＦＡＰコントローラに関連するＦＡＰのすべてが停電に遭う場合に対応することに留意されたい。
【００２８】
上述のように、長期的な統計の収集は、現在の時間もしくは繰り返し間隔に基づく時間枠の間の移動平均、またはこれらの組み合わせである可能性がある。前者（すなわち、現在の時間）の例は、要求に関する統計が、過去１日、１週間、１月などにわたって見られた要求を用いて収集される場合である。後者（すなわち、繰り返し間隔）の例は、統計が、例えば過去１年間の毎週火曜日または毎月第一火曜日の午前８：００から午前８：１０までの間に見られた要求などを使用して収集される場合である。観測の間隔の継続時間および頻度は、オペレータの希望に応じて変わり得る。後者の繰り返される部分的な監視のメリットは、日ごと、月ごと、季節ごとなどの動向を反映する要求の統計を計測することである。
【００２９】
ＲＲ要求の頻度が閾値未満である（つまり、観測されたネットワークの活動が、破壊的事象の発生を示す振る舞いを示していない）場合、ステップ４０６において、フェムト・ゲートウェイ・コントローラが、通常のネットワークの動作を維持する。一方、ＲＲ要求の頻度が閾値を超えて増加する（つまり、観測されたネットワークの活動が、破壊的事象の発生を示す振る舞いを示している）たびに、ステップ４０８において、フェムト・ゲートウェイ・コントローラが、その振る舞いに対応するため、つまり、それらの影響を受けるデバイスからの要求の増加した頻度に対応するためにそのフェムト・ゲートウェイ・コントローラのリソースを調整する。例えば、ＲＲは、競合が起こりやすい特別に指定された上りチャネルを介してＦＡＰからフェムト・ゲートウェイ・コントローラに送信される。競合が起こりやすいことは、異なるＦＡＰから送信されたＲＲが、同時に送信された場合に互いに邪魔し合う可能性があることを示唆する。これが起こる場合、競合が発生し、競合を解決するために、キャリア検知多重アクセス（ＣＳＭＡ）、ＡＬＯＨＡ、木探索アルゴリズムなどの競合解決手順が使用される必要がある。通常に動作している間、ＦＡＰは、かなりランダムに、非常に低い頻度で電源がオンになる可能性があり、したがって、競合の頻度が低く保たれ、競合が起こるときはいつも、競合は、競合解決アルゴリズムが非常に効果的に処理することができる少数の競合したＲＲを含む。しかし、電力が回復した後は、短い時間に多数のＲＲが発せられる可能性がある。この場合、間違いなく競合が起こり、多数の競合した要求が原因で、競合解決アルゴリズムは、それらの競合を解決するために長い時間を要する可能性がある。競合解決アルゴリズムの性能が、関連する競合した送信の数に応じて急速に悪化することは、当業者によく知られている。したがって、競合解決メカニズムの有効性を高めるために、競合解決メカニズムの動作パラメータを調整する必要がある。これは、いくつかの方法で行われ得る。単なる例として、ステップ４０８は、それ自体、競合解決メカニズムの動作パラメータを調整するために独立して任意の順序で実行され得る１つまたは複数のステップ４０８ａおよび４０８ｂを含む可能性がある。例えば、ステップ４０８ａにおいては、フェムト・ゲートウェイ・コントローラが、ＲＲが送信され得る追加の上りチャネルを一時的に（つまり、ＲＲの頻度が閾値未満になるまで）提供し、したがって、ＲＲをより多くのチャネルに拡散し、その結果、それらのチャネルのそれぞれにおいて競合するＲＲの数を減らすことができる。さらに、ＲＲが増加すると、ステップ４０８ｂにおいて、ＲＲを処理し、要求元のデバイスを認証すること、サービスを認可すること、データベース内のユーザ機器およびＦＡＰの状態を更新すること、ＦＡＰに初期構成コマンドを送信することなどの動作を実行するプロセスに対する処理およびバッファリング・リソースも（フェムト・ゲートウェイ・コントローラにおいて）調整される可能性がある。フェムト・ゲートウェイ・コントローラに到達し、ＡＣＳサービスを必要とするＲＲの増加した数に対応するために、例えば、その他の緊急性のない要求を処理するスレッド・プールを抑制しながらＲＲを処理するための追加のスレッド・プールを割り当てること、ＲＲを処理するプロセスのためのメモリ・プールを増やすこと、ＲＲを受け入れ、ＦＡＰに応答を送信するために使用されるメッセージ・キューのサイズ、数、および優先度を増やすことなどによって、追加の処理およびメモリ・リソースが、この目的のために一時的に割り当てられ得る。
【００３０】
図４に示されるように、送信および処理のリソースを調整するステップは、例えば、公益事業会社から得られる停電に関する情報によって補足される可能性がある。上で説明された図２も参照されたい。公益事業会社からの情報は、上述のように、例えば、インターネットを介してコア・ネットワークによってアクセスされ得る地理空間停電データベースから入手することができる可能性がある。上述の図１の説明を参照されたい。単なる例として、公益事業会社から得られる情報は、停電の範囲、例えば、停電によって影響を受ける地理的地域に関する案内を提供し、したがって、フェムト・ゲートウェイ・コントローラが、停電のネットワークの活動に対処するためにどれだけのリソースが再割り当てされるべきか（つまり、停電の範囲が広いほど、電力が回復されるときにオンライン状態に復帰していることになるＦＡＰの数が増え、したがって、到着するＲＲ要求の数が増え、したがって、これらの要求に対処するために割り当てられる必要があるリソースの量が増える）をより正確に評価することを可能にし得る。公益事業会社は、電力の回復がそれぞれの地理的位置でいつであると予測されるかに関する情報も提供する可能性がある。例えば、公益事業会社は、さまざまな地域における回復作業を監視し、公益事業会社が（それらの作業を考慮して）電力がそれらの地域に対していつ回復される可能性があると考えるかの予測を与えることができる。したがって、フェムト・ゲートウェイ・コントローラは、この情報を使用して、回復の事象を見越していつどこにリソースを割り当てるべきかを見定めることができる。例えば、領域Ａが停電に遭ったことを知ると、ネットワーク・オペレータは、そのネットワーク・オペレータのサービスの加入者の敷地がどこにあるかについてのそのネットワーク・オペレータ自体の知識から、どれだけの加入者が影響を受けたかを判定することができる。例えば、そのネットワーク・オペレータの１０００人の加入者が影響を受ける場合、ネットワーク・オペレータは、この数を用いて、例えば、待ち行列に基づく処理能力モデルを使用し、さまざまなレベルの許容可能なリソースを使用してそれらの加入者の要求に対処するためにどれぐらいの時間がかかるかを推定し、十分な性能を提供する、使用すべきレベルを選択することができる。
【００３１】
次に、ステップ４１０において、ＲＲの頻度が閾値（上記参照）未満になった（例えば、ＦＡＰの大部分が正常にオンライン状態に復帰したことを示す）かどうかに関する判定が行われる。ＲＲの頻度が閾値未満になった場合、フェムト・ゲートウェイ・コントローラが、送信および処理のリソースを、通常の動作パラメータに戻すように切り替え、ステップ４０６にしたがって、通常の動作が再開される。しかし、ＲＲの頻度がまだ閾値を超えている場合は、ネットワーク・シグナリングの送信および処理のための調整されたリソースが維持されるか、または（例えば、停電の範囲または電力の回復の時間／位置に関する予測あるいはその両方に関連する停電データベースからの更新された情報に基づいて）更新される。
【００３２】
方法３００は、方法４００と併せて、すなわち、停電中に、および停電の後で電力が回復されたときにそれぞれ実行され得る。しかし、同じネットワークに影響を与える停電が、異なる時間に、またはネットワーク内の異なる位置で、あるいはその両方で発生する可能性がある。
【００３３】
ここで図５に目を向けると、本明細書に示された方法のうちの１つまたは複数を実装するための装置５００の構成図が示されている。単なる例として、装置５００は、図１の説明に関連して示されたネットワーク１００などの、ノードの少なくとも２つのクラスを有する異種無線ネットワークを管理するための図２の方法２００、図３の方法３００、または図４の方法４００、あるいはそれらすべてのステップのうちの１つまたは複数を実装するように構成され得る。上で強調されたように、ネットワーク１００は、少なくとも１つのマクロセル・コントローラ（ＭＣＣ）を含む。装置５００は、方法３００のステップを実装するように構成されるとき、ネットワーク１００内のＭＣＣとして働くように構成される可能性がある。上で強調されたように、ネットワーク１００は、少なくとも１つのフェムト・ゲートウェイ・コントローラも含む。装置５００は、方法４００のステップを実装するように構成されるとき、ネットワーク１００内のフェムト・ゲートウェイ・コントローラとして働くように構成される可能性がある。
【００３４】
装置５００は、コンピュータ・システム５１０および取り外し可能な媒体５５０を含む。コンピュータ・システム５１０は、プロセッサ・デバイス５２０、ネットワーク・インターフェース５２５、メモリ５３０、媒体インターフェース５３５、および任意的なディスプレイ５４０を含む。ネットワーク・インターフェース５２５は、コンピュータ・システム５１０がネットワークに接続することを可能にし、一方、媒体インターフェース５３５は、コンピュータ・システム５１０がハード・ドライブまたは取り外し可能な媒体５５０などの媒体とインタラクションすることを可能にする。
【００３５】
当技術分野で知られているように、本明細書において検討された方法および装置は、製品として配布される可能性があり、製品自体は、実行されるときに本発明の実施形態を実施する１つまたは複数のプログラムを含む機械可読媒体を含む。例えば、装置５００が方法２００のステップのうちの１つまたは複数を実装するように構成されるとき、機械可読媒体は、１つまたは複数のネットワーク・シグナリング活動を観測し、ネットワーク・シグナリング活動が、ノードのクラスのうちの少なくとも１つに影響を与える停電に関連する振る舞いを示す場合、その振る舞いに対応するために、ノードのクラスのうちの１つまたは複数のその他のクラスに関連するネットワーク・シグナリングの送信および処理のためのネットワーク・リソースを調整するように構成されたプログラムを含む可能性がある。機械可読媒体は、記録可能な媒体（例えば、フロッピー（Ｒ）・ディスク、ハード・ドライブ、取り外し可能な媒体５５０などの光ディスク、またはメモリ・カード）である可能性があり、あるいは送信媒体（例えば、光ファイバーを含むネットワーク、ワールド・ワイド・ウェブ、ケーブル、または時分割多元接続、符号分割多元接続、もしくはその他の無線周波数チャネルを使用する無線チャネル）である可能性がある。コンピュータ・システムで使用するのに好適な情報を記憶することができる知られているまたは開発された任意の媒体が、使用され得る。
【００３６】
プロセッサ・デバイス５２０は、本明細書において開示された方法、ステップ、および機能を実装するように構成され得る。メモリ５３０は、分散されるか、またはローカルにある可能性があり、プロセッサ・デバイス５２０は、分散されるか、または単一である可能性がある。メモリ５３０は、電気式、磁気式、もしくは光学式メモリ、またはこれらのもしくはその他の種類のストレージ・デバイスの任意の組み合わせとして実装され得る。さらに、用語「メモリ」は、プロセッサ・デバイス５２０によってアクセスされるアドレス指定可能な空間内のアドレスから読み出され得るかまたはそのアドレスに書き込まれ得るあらゆる情報を包含するだけ十分に広く解釈されるべきである。この定義によれば、ネットワーク・インターフェース５２５を通じてアクセス可能なネットワーク上の情報は、プロセッサ・デバイス５２０がネットワークからその情報を取得することができるので、やはりメモリ５３０内にある。プロセッサ・デバイス５２０を構成するそれぞれの分散されたプロセッサは、概して、それ独自のアドレス指定可能なメモリ空間を含むことに留意されたい。コンピュータ・システム５１０の一部またはすべては、特定用途向けまたは汎用集積回路に組み込まれ得ることにも留意されたい。
【００３７】
任意的なディスプレイ５４０は、装置５００の人間のユーザとインタラクションするのに好適な任意の種類のディスプレイである。概して、ディスプレイ５４０は、コンピュータのモニタまたはその他の同様のディスプレイである。
【００３８】
本発明の例示的な実施形態が本明細書において説明されたが、本発明は、それらの厳密な実施形態に限定されず、本発明の範囲を逸脱することなく当業者によってさまざまなその他の変更および改変が行われ得ることを理解されたい。
【図１】
2014529232.tif 000003
【図２】
2014529232.tif 000004
【図３】
2014529232.tif 000005
【図４】
2014529232.tif 000006
【図５】
2014529232.tif 000007
【手続補正書】
【提出日】平成26年5月20日(2014.5.20)
【手続補正１】
【補正対象書類名】特許請求の範囲
【補正対象項目名】全文
【補正方法】変更
【補正の内容】
【特許請求の範囲】
【請求項１】
ノードの少なくとも２つのクラスを有する異種無線ネットワークを管理するための方法であって、
１つまたは複数のネットワーク・シグナリング活動を観測するステップと、
前記ネットワーク・シグナリング活動が、ノードの前記クラスのうちの少なくとも１つに影響を与える停電に関連する振る舞いを示す場合、前記振る舞いに対応するために、ノードの前記クラスのうちの１つまたは複数のその他のクラスに関連するネットワーク・シグナリングの送信および処理のためのネットワーク・リソースを調整するステップとを含む、方法。
【請求項２】
前記停電に関連する前記振る舞いが、前記１つまたは複数のネットワークの活動の頻度が閾値を超えて増加することを含む、請求項１に記載の方法。
【請求項３】
ノードの前記クラスのうちの１つが、顧客宅内機器を含む、請求項１に記載の方法。
【請求項４】
前記顧客宅内機器が、フェムトセル・アクセス・ポイントを含む、請求項３に記載の方法。
【請求項５】
ノードの前記クラスのうちの１つが、オペレータが所有する機器を含む、請求項１に記載の方法。
【請求項６】
前記オペレータが所有する機器が、フェムト・ゲートウェイ・コントローラおよび自動構成サーバのうちの１つまたは複数を含む、請求項５に記載の方法。
【請求項７】
前記停電の範囲に関する情報を取得するステップと、
前記停電の前記範囲に関する前記情報に基づいてネットワーク・シグナリングの送信および処理のための前記ネットワーク・リソースを調整するステップとをさらに含む、請求項１に記載の方法。
【請求項８】
電力がいつ回復される可能性があるかに関する情報を取得するステップと、
前記電力がいつ回復される可能性があるかに関する前記情報に基づいてネットワーク・シグナリングの送信および処理のための前記ネットワーク・リソースを調整するステップとをさらに含む、請求項１に記載の方法。
【請求項９】
前記ネットワークが、１つまたは複数のフェムトセル・アクセス・ポイントを通じて、および１つまたは複数のマクロセル基地局を通じてアクセス可能であり、前記方法が、
前記フェムトセル・アクセス・ポイントが前記停電が原因で電力を喪失し、前記ネットワークへの接続が前記マクロセル基地局に移るときの垂直ハンドオフ要求の増加した頻度に関して前記ネットワークを観測するステップをさらに含む、請求項１に記載の方法。
【請求項１０】
前記マクロセル基地局がマクロセル・コントローラにリンクされ、前記マクロセル・コントローラによって制御され、ネットワーク・シグナリングの送信および処理のための前記ネットワーク・リソースを調整する前記ステップが、
前記マクロセル・コントローラにおいてネットワーク・シグナリングの送信および処理のためのリソースを調整するステップを含む、請求項９に記載の方法。
【請求項１１】
前記マクロセル・コントローラにおいてネットワーク・シグナリングの送信および処理のための前記リソースを調整する前記ステップが、
前記マクロセル基地局において追加のアクセス・チャネルを割くステップを含む、請求項１０に記載の方法。
【請求項１２】
前記マクロセル・コントローラにおいてネットワーク・シグナリングの送信および処理のための前記リソースを調整する前記ステップが、
前記マクロセル基地局と前記マクロセル・コントローラとの間のリンクにおいて追加の帯域幅を割くステップを含む、請求項１０に記載の方法。
【請求項１３】
前記マクロセル・コントローラにおいてネットワーク・シグナリングの送信および処理のための前記リソースを調整する前記ステップが、
前記マクロセル・コントローラに追加の処理リソースおよびバッファリング・リソースを割くステップを含む、請求項１０に記載の方法。
【請求項１４】
前記ネットワークが、１つまたは複数のフェムトセル・アクセス・ポイントを通じて、および１つまたは複数のマクロセル基地局を通じてアクセス可能であり、前記方法が、
電力が回復されるときに前記フェムトセル・アクセス・ポイントが再び給電されるときのリブート要求の増加した頻度に関して前記ネットワークを監視するステップをさらに含む、請求項１に記載の方法。
【請求項１５】
前記フェムトセル・アクセス・ポイントを通じた前記ネットワークへのアクセスが、フェムト・ゲートウェイ・コントローラによって制御され、ネットワーク・シグナリングの送信および処理のための前記ネットワーク・リソースを調整する前記ステップが、
前記フェムト・ゲートウェイ・コントローラにおいてネットワーク・シグナリングの送信および処理のためのリソースを調整するステップを含む、請求項１４に記載の方法。
【請求項１６】
前記フェムト・ゲートウェイ・コントローラにおいてネットワーク・シグナリングの送信および処理のための前記リソースを調整する前記ステップが、
競合解決のために前記フェムト・ゲートウェイ・コントローラにおいて追加の上りチャネルを割くステップを含む、請求項１５に記載の方法。
【請求項１７】
前記フェムト・ゲートウェイ・コントローラにおいてネットワーク・シグナリングの送信および処理のための前記リソースを調整する前記ステップが、
リブート要求の前記増加した頻度に対応するために処理リソースおよびバッファリング・リソースを割くステップを含む、請求項１５に記載の方法。
【請求項１８】
ノードの少なくとも２つのクラスを有する異種無線ネットワークを管理するための装置であって、
メモリと、
前記メモリに結合され、
請求項１、請求項２、請求項７ないし請求項８のいずれかに記載の方法のすべてのステップを実行するように動作可能な少なくとも１つのプロセッサ・デバイスと、
を含む、装置。
【請求項１９】
ノードの少なくとも２つのクラスを有する異種無線ネットワークを管理するための製品であって、実行されるときに、
請求項１、請求項２、請求項７ないし請求項８のいずれかに記載の方法のすべてのステップを実行する１つまたは複数のプログラムを含む機械可読記録可能媒体を含む、製品。
【請求項２０】
コンピュータで実行されるときに、請求項１ないし請求項１７までのいずれかに記載の方法のすべてのステップを実行するコンピュータ・プログラム。
【国際調査報告】
2014529232.tif 000008
2014529232.tif 000009
2014529232.tif 000010